(57)【特許請求の範囲】
【請求項１】
建物ユニットを複数配置して構成されるユニット式建物の基礎構造であって、
地盤面から所定深さに設けられるコンクリート製の底版部と、
この底版部から立ち上がって土圧を受け、かつ上側に前記建物ユニットを支持する側壁部と、を備え、
前記底版部と前記側壁部と前記建物ユニットの底面とで囲まれて収納空間が形成され、前記側壁部の内側面と前記底版部の上面とに連続する止水部材が設けられるとともに、前記止水部材の内側面および上面のうち少なくとも内側面に防蟻断熱部材が設けられ、
前記側壁部の上側に載置される前記建物ユニットの底面には底面防蟻部材が設けられ、前記建物ユニットを載置した状態で前記防蟻断熱部材と前記底面防蟻部材とが連続して設けられた
ことを特徴とするユニット式建物の基礎構造。
【請求項２】
請求項１に記載のユニット式建物の基礎構造であって、
前記防蟻断熱部材と前記底面防蟻部材との間に充填される充填剤が設けられた
ことを特徴としたユニット式建物の基礎構造。
【請求項３】
請求項１又は請求項２に記載のユニット式建物の基礎構造であって、
前記底版部および側壁部は、現場打ちコンクリート製であり、前記底版部および側壁部の外側には、連続して外側止水部材が設けられた
ことを特徴としたユニット式建物の基礎構造。
【請求項４】
請求項１から請求項３のいずれかに記載のユニット式建物の基礎構造であって、
前記止水部材がアスファルトシートであり、前記防蟻断熱部材が防蟻薬剤を含浸させた硬質発砲樹脂性パネルである
ことを特徴としたユニット式建物の基礎構造。
【請求項５】
請求項１から請求項４のいずれかに記載のユニット式建物の基礎構造であって、
前記収納空間は、天井高さが１．４ｍ程度に設定された
ことを特徴としたユニット式建物の基礎構造。
【請求項６】
地盤面から所定深さに設けられるコンクリート製の底版部と、この底版部から立ち上がって土圧を受け、かつ上側に前記建物ユニットを支持する側壁部とを備えた基礎の上に建物ユニットを複数配置し、前記底版部と前記側壁部と前記建物ユニットの底面とで囲まれて収納空間が形成されるユニット式建物を施工する方法であって、前記側壁部の内側面と前記底版部の上面とに連続する止水部材を設けるとともに、前記止水部材の内側面および上面のうち少なくとも内側面に防蟻断熱部材を設け、底面に予め底面防蟻部材が設けられた前記建物ユニットを、前記側壁部の上側に載置して前記防蟻断熱部材と前記底面防蟻部材とを連続させたことを特徴とするユニット式建物の施工方法。
【発明の詳細な説明】
【技術分野】
【０００１】
本発明は、ユニット式建物の基礎構造およびユニット式建物の施工方法に関する。
【背景技術】
【０００２】
従来、略直方体形状に形成された骨組みを有する建物ユニットを複数配置して構成されるユニット式建物がある。ユニット式建物の基礎としては、コンクリート製であり、建物ユニットを載置する載置部が通常の布基礎よりも高い位置に設定された高基礎と、底版部および側壁部を有した深基礎とがある。高基礎の内部空間は、車庫として利用され、深基礎の内部空間は、地下室として利用されている。
このような深基礎は、底版部を介して鉛直荷重を地盤に伝達して建物を支持するものであり、側壁部に作用した側方地盤の土圧は、側壁部と側壁部の上部に載置される建物ユニットの下梁とで支持されるようになっている（例えば、特許文献１参照）。
特許文献１の深基礎は、ベース部と前壁部と、後壁部と、左右の壁部とを備える。左右の壁部には、建物ユニットが配置され、建物ユニットの底部と、ベース部と、前壁部と、後壁部と、左右の壁部とで地下室用可能な空間が形成されている。
そして、左右の壁部の内側面に沿って内壁パネルが取り付けられるとともに、ベース部の上面に沿って床パネルが取り付けられている。これらのパネルなどにより、地下室が仕上げられる。
【０００３】
【特許文献１】特開平８−４１９０５号公報
【発明の開示】
【発明が解決しようとする課題】
【０００４】
しかしながら、特許文献１のような深基礎では、左右の壁部の内面に沿って内壁パネルを取り付け、ベース部の上面に床パネルを取り付けて内装を仕上げる構成が開示されているものの、止水構造や防蟻・断熱構造に関しては十分に開示されていない。
通常は、外防水であったり、壁部の外面に薬剤を吹き付ける構造などが行われているが、地下室として利用する上で要求される止水・防蟻・断熱性を十分に確保することができない。
【０００５】
本発明の目的は、止水性、防蟻性、および断熱性に優れた地下室が構築可能なユニット式建物の基礎構造およびユニット式建物の施工方法を提供することである。
【課題を解決するための手段】
【０００６】
本発明のユニット式建物の基礎構造は、図面を参照して説明すると、建物ユニット４を複数配置して構成されるユニット式建物１の基礎構造であって、地盤面から所定深さに設けられるコンクリート製の底版部２１と、この底版部から立ち上がって土圧を受け、かつ上側に前記建物ユニットを支持する側壁部２２と、を備え、前記底版部と前記側壁部と前記建物ユニットの底面とで囲まれて収納空間５が形成され、前記側壁部の内側面と前記底版部の上面とに連続する止水部材としてのアスファルトシート５０が設けられるとともに、前記アスファルトシートの内側面および上面のうち少なくとも内側面に防蟻断熱部材５２が設けられ、前記側壁部の上側に載置される前記建物ユニットの底面には底面防蟻部材としての防蟻シート４６が設けられ、前記建物ユニットを載置した状態で前記防蟻断熱部材と前記底面防蟻部材とが連続して設けられたことを特徴とする。
この発明によれば、側壁部の内側面および底版部の上面にアスファルトシートが連続して設置された、すなわち側壁部の内側面および底版部の上面にアスファルトシートが凹状に連続配置されたから、止水構造を有しない場合や、外防水などの場合と比較して、側方地盤および下方地盤からの浸水を防ぐことができ、優れた止水性を確保することができる。
また、アスファルトシートの少なくとも内側面に防蟻断熱部材が設置されたから、少なくとも側方地盤からの蟻の侵入を防止できるとともに断熱性が向上し、優れた防蟻性および断熱性を確保することができる。
底版部の厚さ寸法が十分に大きい場合、蟻の侵入が抑えられ、底版部への防蟻部材の配設を省略することができる。
ここで、防蟻断熱部材と防蟻シートとが連続するにあたって、防蟻シートの底面が防蟻断熱部材の上端部に面接触する構成でもよい。例えば、防蟻断熱部材の上端部が防蟻シートの底面に対向するように内側に折れ曲がって設けられても良く、防蟻断熱部材が所定の厚さを有し、その上端面が防蟻シートの底面に対向するように設けても良い。
建物ユニットを載置した状態で前記防蟻断熱部材と前記底面防蟻部材とが連続して設けられることで、防蟻断熱部材の上端部と防蟻シートの底面との間から蟻の侵入を確実に防止することができる。
【０００７】
本発明のユニット式建物の施工方法は、地盤面から所定深さに設けられるコンクリート製の底版部と、この底版部から立ち上がって土圧を受け、かつ上側に前記建物ユニットを支持する側壁部とを備えた基礎の上に建物ユニットを複数配置し、前記底版部と前記側壁部と前記建物ユニットの底面とで囲まれて収納空間が形成されるユニット式建物を施工する方法であって、前記側壁部の内側面と前記底版部の上面とに連続する止水部材を設けるとともに、前記止水部材の内側面および上面のうち少なくとも内側面に防蟻断熱部材を設け、底面に予め底面防蟻部材が設けられた前記建物ユニットを、前記側壁部の上側に載置して前記防蟻断熱部材と前記底面防蟻部材とを連続させたことを特徴とする。
【０００８】
さらに、前記防蟻断熱部材と前記防蟻シートとの間に充填される充填剤６０が設けられることが好ましい。
この構成の発明では、防蟻断熱部材と防蟻シートとの間に間隙等がなくなり優れた防蟻性が確保できる。
充填剤としては、例えば、防蟻薬剤入りの接着剤や接着材、コーキング材などが挙げられる。
側壁部に建物ユニットを載置する際には、防蟻断熱部材の上端面を接着面とし、接着面には充填剤を設ける。一方、建物ユニットの底面には、予め工場にて防蟻シートを貼り付ける。そして、現場にて防蟻シートが防蟻断熱部材の接着面に連続する状態に建物ユニットを側壁部に載置する。
なお、防蟻断熱部材の上端部が所定寸法上方に突出した状態で建物ユニットを側壁部に載置する構成でもよい。この場合、建物ユニットの自重により防蟻断熱部材が上下方向に圧縮された状態となり、建物ユニットの底面に防蟻断熱部材が当接する。このような構成によれば、密圧効果により、防犠牲が向上する。
そして、充填剤の他に建物ユニットの底面と側壁部の上端部との間にクッション材が挿入される構成や防蟻剤などが充填される構成でもよい。
【０００９】
また、前記底版部および側壁部は、現場打ちコンクリート製であり、前記底版部および前記側壁部の外側には、連続して外側止水部材としてのアスファルトシート２４Ａが設けられた構成を採用してもよい。
この構成の発明では、例えば、底版部と側壁部とを打継ぎを設けて打設した場合、底版部のコンクリートを打設した後に側壁部の型枠を組み立ててから、そのコンクリートを打設することができるので、スムーズに施工でき、施工の作業性が向上する。
また、打継ぎの外側には、アスファルトシートが底版部および側壁部に連続して設けられているので、打継ぎ部分からの浸水を確実に防止することができる。
一方、底版部と側壁部とを一体に打設した場合では、打継ぎが形成されないので、防水性が向上する。しかし、底版部と側壁部との屈曲部分は、老朽化などによりひびが入り、浸水のおそれがある。
この場合、底版部および側壁部の外側に連続してアスファルトシートが設けられるので、底版部と側壁部と屈曲部分から浸水することがなく、確実に止水することができる。
【００１０】
また、前記止水部材がアスファルトシート５０であり、前記防蟻断熱部材が防蟻薬剤を含浸させた硬質発砲樹脂性パネルであることが好ましい。
この構成の発明によれば、シート状のアスファルトシート５０を用いたことで、底版部および側壁部にアスファルトシートを連続して貼り付けやすくなり、間隔等が形成されることを防止して止水性が確保できる。また、壁部の外面に止水のための薬剤を吹き付けたりしなくて済むので、簡便な施工で確実に止水できる。
そして、防蟻薬剤が含浸された硬質発砲樹脂性パネルを用いたことで、容易な施工で確実に防蟻性および断熱性が得られる。硬質発砲樹脂性パネルとしては、例えば、スタイロフォームＡＴ（登録商標）などが挙げられる。
なお、防蟻断熱部材はパネル形状以外にも、シート形状のものでも良い。
【００１１】
また、前記収納空間は、天井高さが１．４ｍ程度に設定されることが好ましい。
この構成の発明によれば、天井高さが１．４ｍ程度の高さであるため、地下室として利用できる収納空間が最低限確保できる。また、天井高さが１．４ｍ程度の高さであるため、居住空間を設ける場合と比較して、地盤の掘削量が少なくて済むため、施工コストを抑制することができる。
また、深基礎構造により収納空間が得られるから、敷地面積が限られた敷地の中で、土地を有効利用できるとともに、建物の内部空間の居室などを広く確保することができる。
【発明を実施するための最良の形態】
【００１２】
以下に本発明の実施形態を図面に基づいて説明する。
図１は、本発明の実施形態であるユニット式建物を簡略化して示す斜視図である。図２は、ユニット式建物における建物ユニットを底面側から見た斜視図である。図３は、ユニット式建物の基礎構造を示す縦断面図である。図４は、ユニット式建物の基礎構造の上部を拡大して示す縦断面図である。図５は、ユニット式建物の基礎構造を示す平面図である。
【００１３】
図１において、ユニット式建物１は、コンクリート製の深基礎２と、深基礎２に連続したコンクリート製の浅基礎３と、深基礎２および浅基礎３の上に設けられた建物ユニット４と、建物ユニット４の底面と深基礎２とで形成された地下室としての利用される収納空間５となどを備えた建物である。
【００１４】
建物ユニット４の骨組みは、図２に示すように、四隅の四本の柱４１と、これらの柱４１の上端同士を接合する各二本の長辺上梁４２および短辺上梁４３と、柱４１の下端同士を接合する各二本の長辺下梁４４および短辺下梁４５とを含んで構成されている。長辺上梁４２と長辺下梁４４と二本の柱４１とで構成された骨組みの一方には、外壁材４６Ａが取り付けられ、短辺上梁４３と短辺下梁４５と二本の柱４１とで構成された骨組みの一方にも、外壁材４６Ａが取り付けられている。なお、この他にも必要に応じてこれらの骨組みには、外壁材、内壁材、天井材、床材等が取り付け可能である。
また、一方の長辺下梁４４と他方の長辺下梁４４との間には、短辺下梁４５の短辺方向に平行になるように、床小梁４５Ａが複数、所定の間隙を有して設けられている。さらに、一方の長辺上梁４２と他方の長辺上梁４２との間には、短辺上梁４３の短辺方向に平行になるように、天井小梁４３Ａが複数、所定の間隙を有して設けられている。
【００１５】
深基礎２は、図３に示すように、略長方形状の底版部２１と、底版部２１から立ち上がって形成され、土圧を受ける側壁部２２とから構成される。そして、底版部２１と、側壁部２２と、側壁部２２に支持された建物ユニット４の底面とで囲まれた空間が前述した収納空間５である。底版部２１および側壁部２２は、現場打ちコンクリート製であり、底版部２１の厚さ寸法は、例えば、２０ｃｍ以上に設定されている。
【００１６】
底版部２１の上面と側壁部２２の下端縁との間には、打継ぎ２３が設けられている。底版部２１の外端面および側壁部の外側面には、打継ぎ２３を覆うように外側止水部材としてのアスファルトシート２４Ａが貼り付けられている。アスファルトシート２４Ａとしては、例えば、改質アスファルトシートなどが挙げられる。打継ぎ２３の中央部分には、止水シール２３Ａが設けられている。止水シール２３Ａは、底版部２１の側端部に沿って四周連続して設けられている。
【００１７】
側壁部２２の内側面および底版部２１の上面には、アスファルトシート５０が連続して凹状に貼り付けられている。アスファルトシート５０としては、例えば、改質アスファルトシートなどが挙げられる。
アスファルトシート５０の上面には、略平板形状の合板５１Ａがアスファルトシート５０に沿って設けられ、合板５１Ａの上面には、床パネル５１Ｂを水平方向に支持するための支持具５１Ｃが設けられている。
また、アスファルトシート５０の内側面には、図３、５に示すように、略平板状の防蟻断熱部材５２が側壁部２２に沿って設けられている。防蟻断熱部材５２は、防蟻薬剤を含浸させた硬質発砲樹脂性パネルである。硬質発砲樹脂性パネルとしては、例えば、スタイロフォームＡＴ（登録商標）などが挙げられる。
防蟻断熱部材５２の内側には、所定幅の空気層５３Ａを介して壁下地部材５３Ｂが防蟻断熱部材５２に沿って設けられている。そして、壁下地部材５３Ｂにおける内側面には、石膏ボードなどの内壁パネル５３Ｃが壁下地部材５３Ｂに沿って設けられている。内壁パネル５３Ｃは、床パネル５１Ｂの端部にて支持されている。
そして、壁下地部材５３Ｂおよび内壁パネル５３Ｃの上端部には、天井パネル５４が配設されている。天井パネル５４と、床パネル５１Ｂとの間の天井高さは、１．４ｍ程度に設定されている。
【００１８】
側壁部２２の上端部には、図３に示すように、建物ユニット４の底面が跨るように配設されている。具体的には、建物ユニット４の長辺下梁４４および短辺下梁４５が側壁部２２の上に配置されている。この際、側壁部２２の上端部には、図５に示すように、アンカー部材２２Ａが複数設けられており、アンカー部材２２Ａには、建物ユニット４の柱４１の下端部に設けられたアンカーが挿入されている。
短辺下梁４５の下端部には、床小梁４５Ａが短辺下梁４５に沿って設けられている。床小梁４５Ａの上端部には、建物ユニット４の床パネル４５Ｃが配設されている。床小梁４５Ａの内側には下地材４５Ｂが配設されている。これら床小梁４５Ａおよび下地材４５Ｂの下端面には、防蟻シート４６が取り付けられている。この防蟻シート４６の下面は、天井パネル５４に対向している。
そして、2本の短辺下梁４５のうち一方の外側面には、外壁材４６Ａが鉛直方向に延びて設けられている。図示しないが、2本の長辺下梁４４のうち一方にも同様に、外壁材４６Ａが設けられている。外壁材４６Ａの内側には、外壁材４６Ａに沿って、内壁パネル４６Ｂが設けられている。内壁パネル４６Ｂは、床パネル４５Ｃの端部にて支持されている。なお、短辺下梁４５と床小梁４５Ａとの間、床小梁４５Ａと他の床小梁４５Ａとの間、および外壁材４６Ａと内壁パネル４６Ｂとの間には、それぞれ断熱材が設けられている。
【００１９】
防蟻シート４６は、図２、４に示すように、長辺下梁４４の下端面、短辺下梁４５の下端面、床小梁４５Ａの下端面、および下地材４５Ｂの下端面にて取り付けられており、建物ユニット４の底面をほぼ覆って設けられている。この防蟻シート４６下端面と、防蟻断熱部材５２およびアスファルトシート５０の上端面との間には、充填剤６０が充填されており、充填剤６０を介して、防蟻シート４６と防蟻断熱部材５２およびアスファルトシート５０とが接着されている。また、側壁部２２の上端面と短辺下梁４５の下端面と間には、ウレタンフォーム６１、気密シール材６２、およびコーキング材６３がそれぞれ設けられている。
なお、防蟻シート４６と防蟻断熱部材５２との間には、充填剤６０を設けることなく、防蟻シート４６と防蟻断熱部材５２とが直接連続する構成でもよい。
【００２０】
次に、本実施形態のユニット式建物１の施工方法を説明する。
現場において、深基礎２および浅基礎３のコンクリートを打設する際には、まず、適宜配筋をしてから深基礎２の底版部２１のコンクリートを打設し、底版部２１の端部には、止水シール２３Ａを取り付ける。そして、底版部２１の端部に立ち上がるように、側壁部２２のコンクリートを打設する。このような手順でコンクリートを打設することで、側壁部２２の下端縁と底版部２１の上面との間には、打継ぎ２３が形成される。打継ぎ２３の内部には止水シール２３Ａが位置する。この打継ぎ２３を覆うように、側壁部２２の外側面および底版部２１の外端面に沿ってアスファルトシート２４Ａを連続して貼り付ける。また、側壁部２２の内側面、および底版部２１の上面には、アスファルトシート５０を連続して貼り付ける。
【００２１】
一方、工場では、建物ユニット４の骨組みに、屋根、内壁パネル５３Ｃ，４６Ｂ、床パネル５１Ｂ，４５Ｃ、天井パネル５４、外壁材４６Ａなどを取り付けて建物ユニット４を製造する。また、建物ユニット４の底面においては、短辺下梁４５、床小梁４５Ａおよび下地材４５Ｂのそれぞれの下端面に防蟻シート４６を予め貼り付けておく。そして、建物ユニット４を建設現場まで搬送し、建設現場でクレーンにより吊り上げ、深基礎２および浅基礎３上に載置する。
この際、図４に示すように、防蟻シート４６における端部の下面が、充填剤６０を介して防蟻断熱部材５２に接着される。これにより、収納空間５が形成される。また、防蟻断熱部材５２と防蟻シート４６との間には、収納空間５の内側から外側に向かって順にウレタンフォーム６１、気密シール材６２、およびコーキング材６３をそれぞれ充填する。
なお、予め工場にて建物ユニット４の底面に充填剤６０、ウレタンフォーム６１、気密シール材６２、およびコーキング材６３を取り付けることも可能である。
【００２２】
以上のような本実施形態によれば、次のような作用効果を奏することができる。
（１）アスファルトシート５０を深基礎２の内面に凹状に連続して貼り付けたことで、止水構造を有しない場合や、外防水などの場合と比較して、側方地盤および下方地盤からの水の浸入を防ぐことができ、優れた止水性を確保することができる。
また、アスファルトシート５０の内側面に防蟻断熱部材５２を設置したから、側方地盤からの蟻の侵入を防止できるとともに断熱性が向上し、優れた防蟻性および断熱性を確保することができる。
さらに、通常、地下室空間の防蟻のために側壁部の厚さを大きくするが、防蟻断熱部材５２を設けることにより、側壁部２２の厚さを薄くすることができるので、側壁部２２に必要なコンクリートの量を少なくでき、経済的である。
【００２３】
（２）打継ぎ２３の中央には、止水シール２３Ａが設けられ、止水シール２３Ａは、底版部２１の側端部に沿って設けられているので、打継ぎ２３の隙間からの浸水を防止できる。
【００２４】
（３）建物ユニット４の底面には、防蟻シート４６が設けられ、建物ユニット４を載置した状態で防蟻断熱部材５２と防蟻シート４６とを充填剤６０を介して連続して設けるので、防蟻断熱部材５２の上端面と防蟻シート４６の底面との間から蟻の侵入を確実に防止することができる。
さらに、防蟻断熱部材５２と防蟻シート４６との間には、ウレタンフォーム６１が設けられているので、収納空間５は止水性が向上する。また、ウレタンフォーム６１は、軽量であり、予め工場にて建物ユニット４の底面にウレタンフォーム６１を取り付けることができる。このため、現場では、深基礎２にウレタンフォーム６１を設ける必要がないので、現場での作業がスムーズになる。したがって、施工の作業性が向上する。
【００２５】
（４）さらに底版部２１および側壁部２２は、現場打ちコンクリート製であり、底版部２１の上面と側壁部２２の下端縁との間に打継ぎ２３が設けられているから、深基礎２の施工の作業性が向上する。
また、打継ぎ２３を覆うように、底版部２１の外端面と側壁部２２の外側面とにアスファルトシート２４Ａを連続して張り付けるので、打継ぎ２３部分からの浸水を確実に防止することができる。また、アスファルトシート２４Ａは、シート形状なので、側壁部２２の外側面および底版部２１の外端面に沿って容易に貼り付けられる。
【００２６】
（５）アスファルトシート５０がシート形状なので、側壁部２２の内側面にアスファルトシート５０を容易に貼り付けることができる。
そして、防蟻断熱部材５２が防蟻薬剤を含浸させた硬質発砲樹脂性パネルなので、硬質発砲樹脂性パネルを設けることにより、容易な施工で確実に防蟻性および断熱性が得られる。
【００２７】
（６）そして、床パネル５１Ｂと、内壁パネル５３Ｃと、天井パネル５４とで囲まれた収納空間５は、天井高さが１．４ｍ程度に設定されているので、地下室として利用できる空間が最低限確保できる。また、深基礎２を設ける際に、天井高さが１．４ｍ程度の高さであるため、住居空間を設ける場合と比較して、掘削量が少なくて済み、施工コストを抑制することができる。
また、深基礎２の構造により収納空間５が得られるから、敷地面積が限られた敷地の中で、土地を有効利用できるとともに、建物の内部空間の居室などを広く確保することができる。
【００２８】
なお、本発明は、上述した実施の形態に限定されるものではなく、本発明の目的を達成できる範囲で以下に示される変形をも含むものである。
例えば、防蟻シート４６と、防蟻断熱部材５２との間には、充填剤６０が充填されている構成を示したが、これに限られず防蟻シート４６と、防蟻断熱部材５２との間には、クッション材などが配設されていても良い。また、充填剤６０は、防蟻断熱部材５２と同じ防蟻断熱部材であっても良い。すなわち、充填剤６０を充填することなく、防蟻断熱部材５２の上端部が所定寸法分上方に突出した状態で、建物ユニット４を側壁部に載置してもよい。つまり、防蟻断熱部材５２が上下方向に圧縮された状態となり、建物ユニット４の底面に直接連続する。この場合、密圧効果により、防犠牲が向上する。
そして、打継ぎ２３の中央部分には、止水シール２３Ａを設ける構成を示したが、止水シール２３Ａの代わりに、塗布防水を施してもよい。また、止水シール２３Ａとともに、塗布防水を施しても良い。
さらに、底版部２１の上面と側壁部２２の下端縁との間に打継ぎ２３が設けられる構成を示したが、例えば、打継ぎを設けることなく、底版部２１および側壁部２２を一体にコンクリート打ちしても良い。この場合、打継ぎが設けられないので、さらに止水性が向上する。
そして、天井パネル５４と、床パネル５１Ｂとの間の天井高さは、１．４ｍ程度に設定されている構成を示したが、これに限られず、空間高さが１．４ｍよりも大きく設けられていても良い。この場合、空間高さが１．４ｍ以上であると、居住部として利用することも可能となる。
また、底版部２１の厚さ寸法は、２０ｃｍ以上である構成を示したが、これに限られず、例えば、２０ｃｍ未満でもよい。この場合、底版部２１上に適宜、防蟻部材を設けても良い。
【００２９】
その他、本発明の実施の際の具体的な構造および手順は、本発明の目的を達成できる範囲で他の構造などに適宜変更できる。
【産業上の利用可能性】
【００３０】
本発明は、深基礎構造を有するユニット式建物に利用できる。
【図面の簡単な説明】
【００３１】
【図１】本発明の実施形態であるユニット式建物を簡略化して示す斜視図である。
【図２】ユニット式建物における建物ユニットを底面側から見た斜視図である。
【図３】ユニット式建物の基礎構造を示す縦断面図である。
【図４】ユニット式建物の基礎構造の上部を拡大して示す縦断面図である。
【図５】ユニット式建物の基礎構造を示す平面図である。
【符号の説明】
【００３２】
１……ユニット式建物
２……深基礎
４……建物ユニット
５……地下室用収納空間
２１…底版部としてのベース部
２２…側壁部
５０…止水部材としてのアスファルトシート
５２…防蟻断熱部材
【図１】
0005133731.tif 000002
【図２】
0005133731.tif 000003
【図３】
0005133731.tif 000004
【図４】
0005133731.tif 000005
【図５】
0005133731.tif 000006